(57)【要約】      （修正有）【課題】特定のエリア内で、放送を継続しつつ、この放送を受ける通信端末からのデータ収集のための活動をおこなう。【解決手段】無線基地局３００は、通信端末４００での放送データの再生速度よりも高い送信速度で、この放送データをブロードキャストで複数の通信端末へ送る放送処理（Ｓ６、Ｓ６ａ，…）を実行する。さらに、放送データの送信時間である放送時間Ｂ，Ｂａ，…に続く時間であって、放送時間と放送データの再生時間との差分時間中の時間を、通信端末から所定のデータを得るための端末データ取得時間Ａ，Ａａ，…とし、この端末データ取得時間中に、複数の通信端末からの所定のデータの受信待ち、所定のデータを受信すると（Ｓ１２，Ｓ１２ａ，…）、これを記憶する端末データ取得処理を実行する。【選択図】図７
2011019104.tif 000002
【特許請求の範囲】
【請求項１】
放送データを受信する第一通信手段と、該放送データを１以上の通信端末に無線送信する第二通信手段とを備えている無線基地局において、
前記第一通信手段及び前記第二通信手段による通信を制御する制御手段と、
所定のデータが記憶されるデータ記憶手段と、
を有し、
前記制御手段は、
前記通信端末での放送データの再生速度よりも高い送信速度で、該再生速度に関する再生制御情報と共に該放送データを、ブロードキャストで前記１以上の通信端末へ、前記第二通信手段により所定の通信チャネルで送らせる、放送処理を実行し、
前記放送データの送信時間である放送時間に続く時間であって、該放送時間と前記再生速度情報で定まる該放送データの再生時間との差分時間中の時間を、該通信端末から前記所定のデータを得るための端末データ取得時間とし、該端末データ取得時間中では、前記１以上の通信端末からの前記所定のデータの受信を待ち、前記第二通信手段が前記所定の通信チャネルで該１以上の通信端末からの該所定のデータを受信すると、該所定のデータを前記データ記憶手段に記憶する、端末データ取得処理を実行する、
ことを特徴とする無線基地局。
【請求項２】
請求項１に記載の無線基地局において、
前記放送データの前記再生制御情報は、該放送データの再生タイミングを示すタイムスタンプを含む情報である、
ことを特徴とする無線基地局。
【請求項３】
請求項１及び２のいずれか一項に記載の無線基地局において、
前記制御手段は、前記通信端末で放送データを継続して再生できるタイミングで、複数の前記放送時間を割り当て、各放送時間毎に該放送時間に続く前記データ取得時間を確保し、該当時間での該当処理を実行する、
ことを特徴とする無線基地局。
【請求項４】
請求項１から３のいずれか一項に記載の無線基地局において、
通信端末毎に予め定め割り付けられている固有の識別子に応じて、該通信端末毎の識別子が複数のグループに分けられ、該グループと該グループに属する識別子とが対応付けられて記憶されているグループ記憶手段を有し、
前記データ記憶手段は、前記所定のデータとしての通信端末の通信アドレスが記憶される通信アドレス記憶手段であり、
前記制御手段は、前記端末データ取得時間中の前記端末データ取得処理で、
前記複数のグループのうちの一のグループに属する識別子の通信端末に対する通信アドレス通知許可を、ブロードキャストで前記第二通信手段により送信させ、該一のグループに属する通信端末からの該通信アドレス通知許可に対するメッセージを該第二通信手段が受信すると、該メッセージに含まれている通信アドレスを前記通信アドレス記憶手段に記憶する、通信アドレス取得処理を実行し、該一のグループに属する通信端末の通信アドレス取得処理が終了すると、全てのグループに関して通信アドレス取得処理が終了するまで、他の一のグループに属する通信端末の通信アドレス取得処理を順次実行し、
前記制御手段は、予め定められた条件を満たした時間に、前記通信アドレス記憶手段に記憶した１以上の通信アドレスのそれぞれが示す通信端末と、前記第二通信手段により順次通信させる、
ことを特徴とする無線基地局。
【請求項５】
請求項４に記載の無線基地局において
前記放送データの閲覧履歴が記憶される閲覧履歴記憶手段を有し、
前記制御手段は、
前記第二通信手段により、前記放送データと共に、該放送データのコンテンツの識別情報を送信させ、
前記予め定められた条件を満たした時間には、前記通信アドレス記憶手段に記憶した１以上の通信アドレスのそれぞれが示す通信端末に対して、前記放送データの閲覧履歴の要求メッセージを前記第二通信手段により順次送らせ、該要求メッセージに対する応答として、閲覧した放送データのコンテンツの識別情報を含む閲覧履歴を該第二通信手段が受信すると、該閲覧履歴を前記閲覧履歴記憶手段に記憶する、
ことを特徴とする無線基地局。
【請求項６】
請求項５に記載の無線基地局において、
前記制御手段は、
前記閲覧履歴記憶手段に記憶した前記閲覧履歴を、前記第一通信手段により、前記放送データの送信元へ送信させる、
ことを特徴とする無線基地局。
【請求項７】
請求項５及び６に記載の無線基地局において、
前記制御手段は、前記放送データの閲覧履歴の要求メッセージを送った前記通信端末から、前記第二通信手段が該要求メッセージに対する応答を受信しなければ、該通信端末の通信アドレスを前記通信アドレス記憶手段から消去する、
ことを特徴とする無線基地局。
【請求項８】
１以上の通信端末を無線通信する無線通信手段を備えている無線基地局において、
通信端末毎に予め定め割り付けられている固有の識別子に応じて、該通信端末毎の識別子が複数のグループに分けられ、該グループと該グループに属する識別子とが対応付けられて記憶されているグループ記憶手段と、
通信端末の通信アドレスが記憶される通信アドレス記憶手段と、
前記第一通信手段及び前記第二通信手段による通信を制御する制御手段と、
を有し、
前記複数のグループのうちの一のグループに属する識別子の通信端末に対する通信アドレス通知許可を、ブロードキャストで前記無線通信手段により送信させ、該一のグープに属する通信端末からの該通信アドレス通知許可に対するメッセージを該無線通信手段が受信すると、該メッセージに含まれている通信アドレスを前記通信アドレス記憶手段に記憶する、通信アドレス取得処理を実行し、該一のグループに属する通信端末の通信アドレス取得処理が終了すると、全てのグループに関して通信アドレス取得処理が終了するまで、他の一のグループに属する通信端末の通信アドレス取得処理を順次実行し、
予め定められた条件を満たした時間に、前記通信アドレス記憶手段に記憶した１以上の通信アドレスが示す通信端末と、前記無線通信手段により順次通信させる、
ことを特徴とする無線基地局。
【請求項９】
請求項４から８のいずれか一項に記載の無線基地局において、
通信端末毎に予め定め割り付けられている前記固有の識別子は、ＭＡＣアドレスである、
ことを特徴とする無線基地局。
【請求項１０】
請求項１から４のいずれか一項に記載の無線基地局と、
前記無線基地局に対して前記放送データを送る放送データサーバと、
を備え、
前記放送データサーバは、
外部と通信して前記放送データを受信する第一通信手段と、
前記放送データが記憶される放送データ記憶手段と、
前記無線基地局と通信して、前記放送データ記憶手段に記憶されている前記放送データを該無線基地局に送信する第二通信手段と、
前記第一通信手段及び前記第二通信手段を制御し、該第一通信手段が受信した前記放送データを前記放送データ記憶手段に記憶する制御手段と、
を有することを特徴とする放送システム。
【請求項１１】
請求項５から７のいずれか一項に記載の無線基地局と、
前記無線基地局に対して前記放送データを送る放送データサーバと、
を備え、
前記放送データサーバは、
外部と通信して前記放送データを受信する第一通信手段と、
前記放送データが記憶される放送データ記憶手段と、
前記無線基地局と通信して、前記放送データ記憶手段に記憶されている前記放送データを該無線基地局に送信する第二通信手段と、
前記閲覧履歴が記憶される閲覧履歴記憶手段と、
前記第一通信手段及び前記第二通信手段を制御し、該第一通信手段が受信した前記放送データを前記放送データ記憶手段に記憶し、該第二通信手段が受信した前記閲覧履歴を前記閲覧履歴記憶手段に記憶する制御手段と、
を有することを特徴とする放送システム。
【請求項１２】
請求項１０に記載の放送システムにおいて、
前記無線基地局及び前記放送データサーバは、車両内に設置され、
前記放送データサーバは、
車両が停止する全ての停止ポイント名及び現在の車両位置を取得する運行情報取得手段と、
前記運行情報取得手段が取得した前記全ての停止ポイント名を用いて停車ポイント一覧情報を作成すると共に、該全ての停車ポイント名と前記現在の車両位置とから次停車ポイントを示す次停車ポイント情報を作成する運行放送情報作成手段と、
を有し、
前記放送データサーバの前記制御手段は、前記停車ポイント一覧情報と前記次停車ポイント情報のそれぞれを、前記現在の車両位置に応じて、前記第二通信手段により、前記無線基地局に送信させ、該停車ポイント一覧情報の送信後であって、該次停車ポイント情報の送信前に、前記放送時間及び前記データ取得時間を確保して、該第二通信手段により、前記放送データを前記無線基地局へ送信させ、該第二通信手段が受信した前記所定のデータを前記データ記憶手段に記憶し、該放送データを該第二通信手段により送信させる際には、前記無線基地局が該放送データを前記１以上の通信端末へ送信する際の送信速度で、該放送データと前記再生制御情報とを送信させ、
前記無線基地局の前記制御手段は、該無線基地局の前記第一通信手段が、前記停車ポイント一覧情報、前記放送データ、前記次停車ポイント情報を受信すると、受信順序に従って、該無線基地局の前記第二通信手段により、該停車ポイント一覧情報、該放送データ、該次停車ポイント情報を送信させる、
ことを特徴とする放送システム。
【請求項１３】
請求項１１に記載の放送システムにおいて、
前記無線基地局及び前記放送データサーバは、車両内に設置され、
前記放送データサーバは、
車両が停止する全ての停止ポイント名及び現在の車両位置を取得する運行情報取得手段と、
前記運行情報取得手段が取得した前記全ての停止ポイント名を用いて停車ポイント一覧情報を作成すると共に、該全ての停車ポイント名と前記現在の車両位置とから次停車ポイントを示す次停車ポイント情報を作成する運行放送情報作成手段と、
を有し、
前記放送データサーバの前記制御手段は、前記停車ポイント一覧情報と前記次停車ポイント情報のそれぞれを、前記現在の車両位置に応じて、前記第二通信手段により、前記無線基地局に送信させ、該停車ポイント一覧情報の送信後であって、該次停車ポイント情報の送信前に、前記放送時間及び前記データ取得時間を確保して、該第二通信手段により、前記放送データを前記無線基地局へ送信させ、該第二通信手段が受信した前記所定のデータを前記データ記憶手段に記憶し、該放送データを該第二通信手段により送信させる際には、前記無線基地局が該放送データを前記１以上の通信端末へ送信する際の送信速度で、該放送データと前記再生制御情報とを送信させ、
前記無線基地局の前記制御手段は、該無線基地局の前記第一通信手段が、前記停車ポイント一覧情報、前記放送データ、前記次停車ポイント情報を受信すると、受信順序に従って、該無線基地局の前記第二通信手段により、該停車ポイント一覧情報、該放送データ、該次停車ポイント情報を送信させ、該放送データの送信後であって該次停車ポイント情報の送信前に、前記閲覧履歴の要求メッセージを送信させる、
ことを特徴とする放送システム。
【請求項１４】
放送データを受信する第一通信手段と、該放送データを１以上の通信端末に無線送信する第二通信手段とを備えている無線基地局の制御方法において、
前記通信端末での放送データの再生速度よりも高い送信速度で、該再生速度に関する再生制御情報と共に該放送データを、ブロードキャストで前記１以上の通信端末へ、前記第二通信手段により所定の通信チャネルで送らせる放送処理と、
前記放送データの送信時間である放送時間に続く時間であって、該放送時間と前記再生速度情報で定まる該放送データの再生時間との差分時間中の時間を、該通信端末から前記所定のデータを得るための端末データ取得時間とし、該端末データ取得時間中では、前記１以上の通信端末からの前記所定のデータの受信を待ち、前記第二通信手段が前記所定の通信チャネルで該１以上の通信端末からの該所定のデータを受信すると、該所定のデータをデータ記憶手段に記憶する端末データ取得処理と、
を実行することを特徴とする無線基地局の制御方法。
【請求項１５】
請求項１４に記載の無線基地局の制御方法において、
前記データ記憶手段は、前記所定のデータとしての通信端末の通信アドレスが記憶される通信アドレス記憶手段であり、
通信端末毎に予め定め割り付けられている固有の識別子に応じて、該通信端末毎の識別子が複数のグループに分けられており、
前記端末データ取得時間中では、前記複数のグループのうちの一のグループに属する識別子の通信端末に対する通信アドレス通知許可を、ブロードキャストで前記第二通信手段により送信させ、該一のグープに属する通信端末からの該通信アドレス通知許可に対するメッセージを該第二通信手段が受信すると、該メッセージに含まれている通信アドレスを前記通信アドレス記憶手段に記憶する、通信アドレス取得処理を実行し、該一のグループに属する通信端末の通信アドレス取得処理が終了すると、全てのグループに関して通信アドレス取得処理が終了するまで、他の一のグループに属する通信端末の通信アドレス取得処理を順次実行し、
予め定められた条件を満たした時間に、前記通信アドレス記憶手段に記憶した１以上の通信アドレスが示すそれぞれの通信端末と、前記第二通信手段により順次通信させる、
ことを特徴とする無線基地局の制御方法。
【請求項１６】
１以上の通信端末を無線通信する無線通信手段を備えている無線基地局の制御方法において、
通信端末毎に予め定め割り付けられている固有の識別子に応じて、該通信端末毎の識別子が複数のグループに分けられており、
前記複数のグループのうちの一のグループに属する識別子の通信端末に対する通信アドレス通知許可を、ブロードキャストで前記無線通信手段により送信させ、該一のグープに属する通信端末からの該通信アドレス通知許可に対するメッセージを該無線通信手段が受信すると、該メッセージに含まれている通信アドレスを通信アドレス記憶手段に記憶する、通信アドレス取得処理を実行し、該一のグループに属する通信端末の通信アドレス取得処理が終了すると、全てのグループに関して通信アドレス取得処理が終了するまで、他の一のグループに属する通信端末の通信アドレス取得処理を順次実行し、
予め定められた条件を満たした時間に、前記通信アドレス記憶手段に記憶した１以上の通信アドレスが示すそれぞれの通信端末と、前記無線通信手段により順次通信させる、
ことを特徴とする無線基地局の制御方法。
【発明の詳細な説明】
【技術分野】
【０００１】
本発明は、１以上の通信端末と無線通信する無線基地局の制御技術に関する。
【背景技術】
【０００２】
最近、一部の列車では、ドアの上部等にモニタが配置され、このモニタで運行情報や広告等表示することが多くなってきている。列車内という環境では、限定されたエリアに何十分もただ座っている、或いは立っているという乗客が集っていることから、広告データの提供側からは非常に魅力的である。しかし、ドア上部のモニタでは、注視できる人が限られており、また、音声がないことからもの足りなさが感じられる。このため、多くの乗客に音声と画面の両面から広告提供ができることが好ましい。
【０００３】
そこで、これを実現する方法の一つとして個人所有の携帯電話に広告を配信することが考えられる。
【０００４】
昨今の携帯電話の大半には、ワンセグ放送（地上デジタル放送のワンセグメント放送）受信機能があり、テレビ放送を受信することができる。また、広告ビジネスではその視聴率の評価が広告の価値を決める上で非常に重要であり、視聴率の測定が行えることが望ましく、携帯電話では通信機能が使えるメリットがある。これらに対応したものとして、列車内に限った設定ではないが、携帯電話のワンセグ受信機能を搭載した携帯電話によるテレビ放送の視聴情報を収集する方法が、以下の特許文献１に記載されている。
【０００５】
この方法では、テレビ放送を受信した携帯電話を用いて、テレビ放送番組を特定する視聴情報を、移動帯通信網、インターネットを介して、集計サーバへ伝送している。
【０００６】
放送の視聴情報等のデータを収集する方法として、以上の方法の他、例えば、特許文献２に記載された無線ＬＡＮを利用した方法も考えられる。なお、この特許文献２では、多数の通信端末と基地局との間で、一旦接続を確立し、接続確立した各通信端末に識別子を付した後、全ての識別子を複数のグループに分けて、グループ毎にデータ送信を要求することで、各通信端末からデータ収集する際の通信衝突の確率を減らす技術について記載されている。
【先行技術文献】
【特許文献】
【０００７】
【特許文献１】特開２００６−６０５４７号公報
【特許文献２】特開２００７−２８８３１２号公報
【発明の概要】
【発明が解決しようとする課題】
【０００８】
しかしながら、特許文献１に記載の方法では、列車固有の放送番組や広告等をワンセグ放送で提供しようとした場合、公共性が低いため、電波法の出力制限を受けて、放送受信可能な範囲がアンテナを中心として半径２ｍ程度の範囲のみにしかならない。さらに、携帯電話サービスは、地下鉄エリアなどをカバーしておらず、放送の視聴情報の収集に利用できないエリアが存在してしまう。このため、特許文献１に記載の方法は、列車内での放送及びその視聴情報の収集に関して、現実的な方法でない。
【０００９】
また、特許文献２に記載されている無線ＬＡＮにより、放送の視聴情報等のデータを収集する場合、仮に、この無線ＬＡＮを利用して放送も行おうとすると、視聴情報等のデータの収集を効率的に行うために、このデータ収集のための活動を行いつつ放送の連続性を維持することは難しいという問題点がある。
【００１０】
本発明は、このような従来技術の問題点に着目し、列車内等の限られた環境下で、データ収集のための活動を行いつつ放送の連続性を維持することができる技術を提供することを目的とする。
【課題を解決するための手段】
【００１１】
前記問題点を解決するための発明に係る無線基地局は、
通信端末での放送データの再生速度よりも高い送信速度で、該再生速度に関する再生制御情報と共に該放送データを、ブロードキャストで前記１以上の通信端末へ所定の通信チャネルで送り、
前記放送データの送信時間である放送時間に続く時間であって、該放送時間と前記再生速度情報で定まる該放送データの再生時間との差分時間中の時間を、該通信端末から前記所定のデータを得るための端末データ取得時間とし、該端末データ取得時間中では、前記１以上の通信端末からの前記所定のデータの受信を待ち、前記第二通信手段が前記所定の通信チャネルで該１以上の通信端末からの該所定のデータを受信すると、該所定のデータをデータ記憶手段に記憶する。
【００１２】
また、他の発明に係る無線基地局は、
通信端末毎に予め定め割り付けられている固有の識別子に応じて、該通信端末毎の識別子が複数のグループに分けられており、
前記複数のグループのうちの一のグループに属する識別子の通信端末に対する通信アドレス通知許可を、ブロードキャストで送信し、該一のグープに属する通信端末からの該通信アドレス通知局に対するメッセージを受信すると、該メッセージに含まれている通信アドレスを通信アドレス記憶手段に記憶する、通信アドレス取得処理を実行し、該一のグループに属する通信端末の通信アドレス取得処理が終了すると、全てのグループに関して通信アドレス取得処理が終了するまで、他の一のグループに属する通信端末の通信アドレス取得処理を順次実行し、
予め定められた条件を満たした時間に、前記通信アドレス記憶手段に記憶した１以上の通信アドレスが示すそれぞれの通信端末と順次通信する。
【発明の効果】
【００１３】
本発明によれば、列車内等の限られた環境下で、データ収集のための活動を行いつつ放送の連続性を維持することができる。
【００１４】
また、他の発明によれば、通信端末に関する複数のグループ毎にデータ収集のための通信活動を行って、通信対象の数を減らしているので、この通信活動における通信衝突の確率を小さくでき、この通信活動を効率よく行うことができる。
【図面の簡単な説明】
【００１５】
【図１】本発明に係る一実施形態における車内放送システムの系統図である。
【図２】本発明に係る一実施形態における列車放送データサーバ及び車両放送データサーバの構成図である。
【図３】本発明に係る一実施形態における無線基地局及び通信端末の構成図である。
【図４】本発明に係る一実施形態における駅情報、駅一覧情報及び次停車駅情報のデータ構成を示す説明図である。
【図５】本発明に係る一実施形態における閲覧履歴テーブルのデータ構成を示す説明図である。
【図６】本発明に係る一実施形態におけるポーリングリストのデータ構成を示す説明図である。
【図７】本発明に係る一実施形態における車内放送システムの動作を示すシーケンス図である。
【図８】本発明に係る一実施形態における通信端末の各種表示画面を示す説明図である。
【図９】本発明に係る一実施形態における各種通信フレームのデータ構成を示す説明図である。
【発明を実施するための形態】
【００１６】
以下、本発明に係る放送システムの一実施形態について、図面を用いて説明する。
【００１７】
本実施形態の放送システムは、図１に示すように、列車１の各車両毎に車内放送を行う車内放送システムである。
【００１８】
車内放送システムは、駅等の固定局に設置されている駅サーバ５００と、車両１ａの一部の車掌室２内に設置され駅サーバ５００から放送データ等を受け取る列車放送データサーバ１００と、各車両１ｂ，１ｃ毎に設置され列車放送データサーバ１００からの放送データ等を受け取る車両放送データサーバ２００と、車両放送データサーバ２００からの放送データ等を各車両１ｂ，１ｃ内で無線出力する基地局３００と、を備えている。また、車掌室２内には、列車放送データサーバ１００の他に、当該列車１の運行状況を監視して、運行情報を出力する運行監視装置６００が設置されている。
【００１９】
列車放送データサーバ１００と各車両１ｂ,１ｃに設置されている車両放送データサーバ２００とは、通信線５により、相互に有線通信可能に接続されている。また、車両放送データサーバ２００と基地局３００とは、通信線６により、相互に有線通信可能に接続されている。
【００２０】
各車両１ｂ，１ｃ内の基地局３００から無線出力された放送データ等は、各車両１ｂ，１ｃ内の乗客Ｇが所有している携帯電話等の通信端末４００により受信される。なお、基地局３００と通信端末４００との無線通信は、例えば、IEEE 802.11で規定されている無線ＬＡＮ方式等に従って実行させる。
【００２１】
駅サーバ５００は、後述の駅情報の他、列車１の各車両１ｂ，１ｃ内で放送される放送データを保持しており、これらのデータ等を無線で、列車１の車掌室２に設置されている列車放送データサーバ１００へ送信する。
【００２２】
列車放送データサーバ１００は、図２に示すように、駅サーバ５００と無線通信する駅側通信インタフェース１１０と、各車両１ｂ，１ｃ毎に設置されている車両放送データサーバ２００と有線通信する車両サーバ側通信インタフェース１１５と、運行監視装置６００と有線通信する監視装置側通信インタフェース１１６と、各種演算処理を実行するＣＰＵ１２０と、このＣＰＵ１２０のワークエリア等になるＲＡＭ１３０と、予め各種データ等が格納されているＲＯＭ１３５と、ハードディスクドライブ装置等の補助記憶装置１４０と、ＣＤ(Compact Disc)等のディスク記憶媒体に対して記憶処理及び再生処理を行うディスク記憶/再生装置１５０と、マイク１６０と、このマイク１６０からのアナログ音信号をディジタル音信号に変換すると供に、これを圧縮処理する音声変調器１６１と、を備えている。
【００２３】
補助記憶装置１４０には、多数の駅毎の駅情報が格納される駅情報ファイル１４１と、映像放送用のコンテンツデータ（放送データ）が格納される映像放送コンテンツファイル１４２と、映像放送コンテンツの閲覧履歴が格納される閲覧履歴テーブル１４３と、が設けられている。さらに、この補助記憶装置１４０には、各種プログラム１４４が予め格納されている。駅情報ファイル１４１や映像放送コンテンツファイル１４２に格納されるデータ等は、いずれも、駅サーバ５００から提供される。また、閲覧履歴テーブル１４３に格納されるデータは、通信端末４００から、基地局３００及び車両放送データサーバ２００を介して提供される。また、各種プログラム１４４は、これらが記憶されているディスク記憶媒体Ｄからディスク記憶/再生装置１５０で再生され、補助記憶装置１６に格納される。なお、各種プログラム１４４は、駅サーバ５００から提供されてもよいし、駅情報は、ディスク記憶媒体Ｄから提供されてもよい。
【００２４】
ＣＰＵ１２０は、補助記憶装置１４０に格納されている各種プログラム１４４を実行することで、通信制御部１２１や記憶制御部１２２として機能する。
【００２５】
通信制御部１２１は、駅側通信インタフェース１１０、車両サーバ側通信インタフェース１１５及び監視装置側通信インタフェース１１６を制御し、これらの通信インタフェース１１０，１１５，１１６が送出するデータを作成し、通信フレーム化すると共に、これらの通信インタフェース１１０，１１５，１１６が受信した通信フレームを分解及び解析する。具体的に、通信制御部１２１は、運行監視装置６００から送られてきた運行情報が示す列車位置に応じて、駅情報ファイル１４１に格納されている駅情報から、後述する駅一覧情報や次停車駅情報を作成する。さらに、マイク１６０から音声変調器１６１を介して送られてきたアナウンス音声データ、映像放送コンテンツファイル１４２に格納されている放送コンテンツデータ、駅一覧情報、次停車駅情報等を通信フレームに収め、列車位置に応じて、車両サーバ側通信インタフェース１１５から送出させる。また、通信制御部１２１は、閲覧履歴テーブル１４２に格納されたデータ等を通信フレームに収めて、これを駅側通信インタフェース１１０から送出させる。
【００２６】
記憶制御部１２２は、補助記憶装置１４０に対するデータの格納や、この補助記憶装置１４０からのデータの読み出しを行う。具体的に、記憶制御部１２２は、駅サーバ５００から送られてきた駅情報や映像放送コンテンツデータ等や、車両放送データサーバ２００から送られてきた閲覧履歴等を通信制御部１２１から受け取って、これを補助記憶装置１４０の対応ファイル等１４１，１４２，１４３に格納する。また、補助記憶装置１４０に格納されている駅情報、映像放送コンテンツデータ等を読み出して、これを通信制御部１２１に渡す。
【００２７】
車両放送データサーバ２００は、基地局３００と有線通信する基地局側通信インタフェース２１０と、列車放送データサーバ１００と有線通信する列車サーバ側通信インタフェース２１５と、各種演算処理を実行するＣＰＵ２２０と、このＣＰＵ２２０のワークエリア等になるＲＡＭ２３０と、予め各種データ等が格納されているＲＯＭ２３５と、ハードディスクドライブ装置等の補助記憶装置２４０と、ＣＤ等のディスク記憶媒体に対して記憶処理及び再生処理を行うディスク記憶/再生装置２５０と、を備えている。
【００２８】
補助記憶装置２４０には、映像放送コンテンツの閲覧履歴が格納される閲覧履歴テーブル２４３が設けられている。さらに、この補助記憶装置２４０には、各種プログラム２４４が予め格納されている。閲覧履歴テーブル２４３に格納されるデータは、通信端末４００から、基地局３００を介して提供される。また、各種プログラム２４４は、これらが記憶されているディスク記憶媒体Ｄからディスク記憶/再生装置２５０で再生され、補助記憶装置１６に格納される。
【００２９】
ＣＰＵ２２０は、補助記憶装置２４０に格納されている各種プログラム２４４を実行することで、通信制御部２２１や記憶制御部２２２として機能する。
【００３０】
通信制御部２２１は、基地局側通信インタフェース２１０及び列車サーバ側通信インタフェース２１５を制御し、これらの通信インタフェース２１０，２１５が送出するデータを作成し、通信フレーム化すると共に、これらの通信インタフェース２１０，２１５が受信した通信フレームを分解及び解析する。具体的に、通信制御部２２１は、列車放送データサーバ１００から送られてきた各種要求や各種データの通信フレームを分解及び解析して、必要に応じて、これを再び通信フレーム化して、基地局側通信インタフェース２１０から送出させる。また、この通信制御部２２１は、基地局３００から送られてきた閲覧履歴の通信インタフェースを分解及び解析して、これを記憶制御部２２２に渡して、補助記憶装置２４０の閲覧履歴テーブル２４３に格納させる。さらに、この通信制御部２２１は、列車放送データサーバ１００からの閲覧履歴要求に対して、閲覧履歴テーブル２４３中のデータを通信フレーム化して、列車サーバ側インタフェース２１５から送出させる。
【００３１】
記憶制御部２２２は、補助記憶装置２４０に対するデータの格納や、この補助記憶装置２４０からのデータの読み出しを行う。具体的に、記憶制御部２２２は、基地局３００から送られてきた閲覧履歴等を通信制御部２２１から受け取って、これを補助記憶装置２４０の対応ファイル２４３等に格納する。また、補助記憶装置２４０の閲覧履歴テーブル２４３からデータを読み出して、これを通信制御部２２１に渡す。
【００３２】
基地局３００は、図３に示すように、車両放送データサーバ２００と有線通信する車両サーバ側通信インタフェース３１０と、通信端末４００と無線通信する端末側通信インタフェース３１５と、各種演算処理を実行するＣＰＵ３２０と、このＣＰＵ３２０のワークエリア等になるＲＡＭ３３０と、予め各種データ等が格納されているＲＯＭ３３５と、各種プログラム３４４等が格納されているフラッシュＲＯＭ３４０と、を備えている。
【００３３】
フラッシュＲＯＭ３４０には、複数の通信端末４００の通信アドレスが格納されるポーリングリスト３４１と、映像放送コンテンツの閲覧履歴が格納される閲覧履歴テーブル３４３とが設けられている。さらに、このフラッシュＲＯＭ３４０には、前述したように、各種プログラム３４４が予め格納されている。閲覧履歴テーブル３４３やポーリングリスト３４１に格納されるデータは、基本的に通信端末４００から提供される。
【００３４】
ＣＰＵ３２０は、フラッシュＲＯＭ３４０に格納されている各種プログラム３４４を実行することで、通信制御部３２１や記憶制御部３２２として機能する。
【００３５】
通信制御部３２１は、車両サーバ側通信インタフェース３１０及び端末側通信インタフェース３１５を制御し、これらの通信インタフェース３１０，３１５が送出するデータを作成し、通信フレーム化すると共に、これらの通信インタフェース３１０，３１５が受信した通信フレームを分解及び解析する。具体的に、通信制御部３２１は、車両放送データサーバ２００から送られてきた各種要求や各種データの通信フレームを分解及び解析して、必要に応じて、これを再び通信フレーム化して、端末側インタフェース３１５から送出させる。また、この通信制御部３２１は、通信端末４００から送られてきた閲覧履歴や通信アドレスを含む通信インタフェースを分解及び解析して、これを記憶制御部３２２に渡して、フラッシュＲＯＭ３４０の対応テーブル等３４１，３４３に格納させる。さらに、この通信制御部３２１は、車両放送データサーバ１００からの閲覧履歴要求に対して、閲覧履歴テーブル３４３中のデータを通信フレーム化して、車両サーバ側インタフェース３１０から送出させる。
【００３６】
記憶制御部３２２は、フラッシュＲＯＭ３４０に対するデータの格納や、このフラッシュＲＯＭ３４０からのデータの読み出しを行う。具体的に、記憶制御部３２２は、通信端末４００から送られてきた閲覧履歴や通信アドレス等を通信制御部２２１から受け取って、これをフラッシュＲＯＭ３４０の対応テーブル３４１,３４３等に格納する。また、記憶制御部３２２は、フラッシュＲＯＭ３４０の閲覧履歴テーブル３４３からデータを読み出して、これを通信制御部３２１に渡す。
【００３７】
車内放送システムのユーザである乗客Ｇが所有する携帯電話等の通信端末４００は、携帯電話網を介して他の通信装置と無線通信する第一通信インタフェース４１０と、基地局３００と無線通信する第二通信インタフェース４１５と、各種演算処理を実行するＣＰＵ４２０と、このＣＰＵ４２０のワークエリア等になるＲＡＭ４３０と、予め各種データ等が格納されているＲＯＭ４３５と、各種プログラム４４４等が格納されているフラッシュＲＯＭ４４０と、入力キー４５１と、ディスプレイ４５２と、マイク４５３と、スピーカ４５４と、入力キー４５１等のインタフェース４５０と、を備えている。また、この通信端末４００には、ヘッドホン４５５が接続されている。
【００３８】
フラッシュＲＯＭ４４０には、第二通信インタフェース４１５による無線通信の際の自身の通信アドレスとなるＭＡＣアドレス４４１と、各種プログラム４４４と、第一通信インタフェースによる無線通信の際の自身の通信アドレス等が格納されている。また、このフラッシュＲＯＭ４４０には、映像放送コンテンツの閲覧履歴テーブル４４３が設けられている。さらに、このフラッシュＲＯＭ４４０には、当該通信端末４００の所有者の降車駅の情報４４２が、車内放送システムの基地局３００との無線通信過程で格納される。また、ＲＡＭ４３０には、当該車両の全ての停車駅の情報（駅一覧情報）４３１が、車内放送システムの基地局３００との無線通信過程で格納される。
【００３９】
ＣＰＵ４２０は、フラッシュＲＯＭ４４０に格納されている各種プログラム４４４を実行することで、第一通信インタフェース４１０による通信を制御する第一通信制御部４２１と、第二通信インタフェース４１５による通信を制御する第二通信制御部４２２と、ＲＡＭ４３０やフラッシュＲＯＭ４４０に対するデータの格納及び読出を制御する記憶制御部４２３と、ディスプレイ４５２の表示制御を行う表示制御部４２４と、スピーカ４５４やマイク４５３を制御する音声制御部４２５と、入力キー４５１を制御する入力制御部４２６と、当該通信端末４００の所有者の降車駅であるか否かを判断する駅比較部４２７と、を有している。
【００４０】
なお、以上で説明した車内放送システムにおいて、列車放送データサーバ１００は、駅サーバ５００と直接通信しているが、駅サーバ５００と通信する専用の通信装置を設け、この専用の通信装置を介して、列車放送データサーバ１００と駅サーバ５００とが通信するようにしてもよい。
【００４１】
また、以上で説明した車内放送システムは、列車放送データサーバ１００の他に、車両１ｂ，１ｃ毎に車両放送データサーバ２００を有しているが、この車両放送データサーバ２００は、短時間のうちに多数の通信端末４００と通信する必要性から、列車放送データサーバ１００の負荷を軽減する目的で設けたものであるため、列車放送データサーバ１００に高い処理能力を与えることができる場合には、車両放送データサーバ２００を省いてもよい。
【００４２】
また、以上では、基地局３００に、基地局としての機能の他に、ポーリングリスト３４１を記憶しておく機能を設けたが、これらの機能をそれぞれ別々の装置で実現するようにしてもよい。
【００４３】
次に、本実施形態の車内放送システムの動作について、図７に示すシーケンス図に従って説明する。
【００４４】
ここで、列車放送データサーバ１００の駅情報ファイル１４１には、この列車１が停車する全ての停車駅を少なくとも含む各駅毎の駅情報が既に格納されているものとする。この駅情報１０は、図４に示すように、当該駅の始発駅からの停車順を示す駅順番号１１と、当該列車を運行している鉄道会社のＩＤ１２と、当該列車が走行する路線の路線ＩＤ１３と、当該列車は上り運行であるか下り運行であるかを示す上り/下り符号１４と、当該駅の駅ＩＤ１５と、文字データで示されている駅名１６と、を有している。
【００４５】
鉄道会社ＩＤとして、例えば、鉄道会社「Ａ鉄道会社」には「01」、鉄道会社「Ｂ鉄道会社」には「02」が付けられている。路線ＩＤとして、例えば、路線「東海道線」には「001」、路線「山手線」には「002」が付けられている。上り/下り符号として、上りに「0」、下りが「1」が付けられている。駅ＩＤは、東京駅に「001」、新橋駅に「002」、品川駅に「003」、大磯駅に「012」が付けられている。
【００４６】
従って、例えば、駅情報が「12−01−001−012−大磯」の場合、始発駅からの「１２」番目の駅で、当該列車を運行している鉄道会社が「Ａ鉄道会社」で、当該列車が走行する路線が「東海道線」で、当該駅が「大磯」であることを示している。
【００４７】
また、列車放送データサーバ１００の映像放送コンテンツファイル１４２に、この列車１が終点駅に到着するまでに放送する映像放送コンテンツデータと、各運行区間でどの放送コンテンツをどのような順序で放送するかを示す放送番組プログラムと、が既に格納されているものとする。映像放送コンテンツデータは、複数のコンテンツ毎に、当該コンテンツのＩＤと関連付けられて、映像放送コンテンツファイル１４２に格納されている。また、放送番組プログラムは、複数の運行区間毎に、放送すべき映像放送コンテンツデータのＩＤが関連付けられて、映像放送コンテンツファイル１４２に格納されている。
【００４８】
列車放送データサーバ１００の通信制御部１２１は、運行監視装置６００から送られてきた運行情報が停車駅に停車中である、又は停車駅から出発してから予め定められた時間又は距離以内であることを示す場合に、駅一覧情報を作成して、これを通信フレームのボディに収めて、車両サーバ側通信インタフェース１１５から各車両１ｂ，１ｃ毎に設置されている車両放送データサーバ２００へ複数回送る（Ｓ１）。
【００４９】
駅一覧情報は、駅情報ファイル１４１に格納されている多数の駅情報のうち、次に停車する停車駅から終点駅までの各停車駅毎の駅情報の束である。このため、東海道線、東京発、小田原終点の列車が、新橋駅を出発した場合、図４に示すように、駅一覧情報１０ａは、次の停車駅である「品川」駅から終点の「小田原」駅までの各停車駅毎の駅情報の束となる。なお、駅一覧情報は、次に停車する停車駅から終点駅までの各停車駅毎の駅情報の束としているが、始発駅から停車駅までの各停車駅毎の駅情報の束であってもよい。このように、駅一覧情報を構成することで、乗客が乗り越した場合でも、乗り越した駅の情報を確認することができる。
【００５０】
車両放送データサーバ２００は、列車放送データサーバ１００から駅一覧情報を受け取ると、これを基地局３００に送る（Ｓ２）。基地局３００は、この駅一覧情報を無線通信フレームのボディに収め、ヘッダの宛先欄には、ブロードキャストである旨を示す“Ｆ”を収めて、これを送出する（Ｓ３）。なお、列車放送データサーバ１００からの駅一覧情報には、この駅一覧情報をブロードキャストで送出する旨の指示が付加されており、基地局３００は、この指示に従って、駅一覧情報をブロードキャストで送出する。
【００５１】
車両１ｂ，１ｃ内の乗客Ｇが所有している通信端末４００の第二通信インタフェース４１５が、この駅一覧情報を受信すると、第二通信制御部４２２は、この駅一覧情報を記憶制御部４２２に渡して、これをＲＡＭ４３０に記憶させると共に、この通信端末４００の所有者である乗客Ｇにデータ等の受信を知らせるために、受信ランプ等を点滅させる。乗客Ｇは、データ等の受信に気付いて、受信データ等の表示を促す操作を行うと、表示制御部４２４は、ＲＡＭ４３０に記憶されている駅一覧情報４３１に基づき、ディスプレイ４５２に駅一覧情報を表示させる（Ｓ４）。この際、ディスプレイ４５２には、例えば、通信端末４００が図４に示す駅一覧情報１０ａを受信した場合、図８に示すように、次の停車駅である「品川」駅から終点の「小田原」駅までの各停車駅名が順に示されている降車駅入力画面４５２ａが表示される。
【００５２】
乗客Ｇは、入力キー４５１を操作して、ディスプレイ４５２に表示された次停車駅から終点駅までの駅名のうち、いずれかを降車駅として指定すると、これを入力制御部４２６が受け取って、記憶制御部４２３に渡す。記憶制御部４２３は、この降車駅の駅情報を降車駅情報４４２としてフラッシュＲＯＭ４４０に格納する、つまり降車駅情報４２２を登録する（Ｓ５）。なお、以上の降車駅の登録処理（Ｓ５）は、図７では、通信端末４００が駅一覧情報を受信すると、乗客Ｇが直ちに実行しているように描いているが、この乗客Ｇが当該列車に乗っている最中であれば、いつ実行しても、後述の降車駅通知のサービスを受けることができる。
【００５３】
列車放送データサーバ１００の通信制御部１２１は、車両サーバ側通信インタフェース１１５から車両放送データサーバ２００へ駅一覧情報を複数回送ると（Ｓ１）、補助記憶装置１４０の映像放送コンテンツファイル１４２に格納されている放送番組プログラムを参照して、この映像放送コンテンツファイル１４２に格納されている複数の映像放送コンテンツデータのうちから、放送番組プログラムが示すコンテンツＩＤの映像放送コンテンツデータを記憶制御部１２２から取得し、これを通信フレームに収めて、車両サーバ側通信インタフェース１１５から各車両１ｂ，１ｃ毎に設置されている車両放送データサーバ２００へ送る（Ｓ６）。
【００５４】
ここで、通信フレームに収められるデータについて、図９を用いて説明する。
【００５５】
通信フレーム２０は、ＭＡＣヘッダ２１とＭＡＣボディとを有している。ＭＡＣヘッダ２１には、宛先アドレス２２と送信元アドレス等が格納されている。宛先アドレス２２には、当該通信フレーム２０がブロードキャストであることを示す“Ｆ”が格納されている。ＭＡＣボディには、ＩＰパケットが格納され、このＩＰパケットのヘッダ２３に宛先アドレス２４等が格納されている。この宛先アドレス２４には、ブロードキャストアドレスが格納されている。ＩＰパケットのペイロードには、１映像フレーム毎の映像データ２５が複数が格納される。１映像フレームの映像データ２５は、コンテンツＩＤ２６と、映像開始を示す符号であるＰＳＣ（Picture Start Code）と、映像フレーム番号であるＴＲ（Temporal Reference）２７と、映像タイプを示すＰＴＹＰＥ（Picture Type Information）と、第一映像フレームの再生時刻から当該映像フレームの再生時刻までの時間を示すＴＭ（Time stamp）２８と、映像データ本体２９と、を有している。なお、以上において、一つの映像放送コンテンツデータは、複数の映像フレーム２５のデータの束である。
【００５６】
列車放送データサーバ１００の通信制御部１２１は、映像データ本体２６の再生速度より高い送信速度で、例えば、再生速度の２倍程度の送信速度で、映像データを送るため、言い換えると、映像データの送信レートを高めるため、一つの通信フレームのペイロードに、複数の映像フレーム分のデータ２５を収める送信時間短縮処理を行い、この通信フレームを車両サーバ側通信インタフェース１１５から車両放送データサーバ２００へ送る。通信制御部１２１は、この処理を予め定められた放送時間Ｂの間継続して実行する（Ｓ６）。
【００５７】
車両放送データサーバ２００は、この映像データの通信フレームを受け取ると、これをスループットして基地局３００へ送る（Ｓ７）。そして、基地局３００は、この映像データの通信フレームのＩＰパケット中の複数の映像データ２５を収めたＭＡＣフレームを無線送出する（Ｓ８）。このＭＡＣフレームは、ＭＡＣヘッダとＭＡＣボディとを有している。ＭＡＣフレームには、宛先アドレス及び送信元アドレス等が格納される。宛先アドレスとしては、車両放送データサーバ２００からの通信フレーム中のＩＰヘッダ２３の宛先アドレス（ブロードキャストアドレス）２４（図９）に従って、ブロードキャストであることを示す“Ｆ”が格納される。また、ＭＡＣボディには、受信した通信フレームのＩＰパケット中の複数の映像データ２５がそのまま収められる。
【００５８】
なお、車両放送データサーバ２００から基地局３００への通信フレームの送信速度、及び基地局３００から通信端末４００への通信フレームの送信速度は、列車放送データサーバ１００から車両放送データサーバ２００への通信フレームの送信速度と実質的に同じである。
【００５９】
通信端末４００の第二通信インタフェース４１５が、映像データの通信フレームを受信すると、第二通信制御部４２２は、この通信フレーム中の映像データを記憶制御部４２３に渡して、これをＲＡＭ４３０に記憶させると共に、この通信端末４００の所有者である乗客Ｇにデータ等の受信を知らせるために、受信ランプ等を点滅させる。乗客Ｇは、データ等の受信に気付いて、受信データ等の表示を促す操作を行うと、表示制御部４２４は、ＲＡＭ４３０に記憶されている映像データを記憶制御部４２３から受け取って、これをディスプレイ４５２に表示させる（Ｓ９）。この際、表示制御部４２４は、映像データに含まれているタイムスタンプ（再生制御情報）に従って、映像データ中の映像データ本体をディスプレイ４５２に表示させる。
【００６０】
このように、映像データ本体は、タイムスタンプに従って再生されるので、この映像データの送信速度と関わりなく、映像データ本体は適切な再生速度で再生される。従って、一つの映像放送コンテンツデータの送信速度が再生速度の約２倍で、このデータの送信時間である放送時間Ｂが５秒である場合には、このデータの再生時間は約１０秒となる。
【００６１】
また、記憶制御部４２２は、一つの映像放送コンテンツデータの全ての映像データを表示制御部４２４に渡すと、この映像データ中に含まれているコンテンツＩＤをフラッシュＲＯＭ４４０の閲覧履歴テーブル４４３に格納する（Ｓ１０）。
【００６２】
なお、記憶制御部４２３は、第二通信制御部４２２が映像データの通信フレームを受信している際に、ディスプレイ４５２が映像データを表示できる状態になっていなければ、通信フレーム中の映像データを順次ＲＡＭ４３０に格納しつつ、ＲＡＭ４３０内の映像データ量が所定量を超えた時点で、この所定量を超える分の映像データを古い順に消去していく。また、記憶制御部４２３は、ここでは、一つの映像放送コンテンツデータの全ての映像データを表示制御部４２４に渡すことを条件にして、コンテンツＩＤを閲覧履歴テーブル４４３に格納しているが、一つの映像放送コンテンツデータ中の一部の映像データを表示制御部４２４に渡した場合でも、コンテンツＩＤを閲覧履歴テーブル４４３に格納してもよい。また、ここでは、閲覧されたコンテンツを特定するためにコンテンツＩＤを用いたが、この替わりに、映像データの再生時間帯を用いるようにしてもよい。
【００６３】
列車放送データサーバ１００の通信制御部１２１は、初回の放送時間Ｂで映像データを送ってから、２回目以降の放送時間Ｂａ，Ｂｂ，…を確保し、これらの放送時間Ｂａ，Ｂｂ，…に、映像放送コンテンツファイル１４２に格納されている映像放送コンテンツデータ中の映像データを順次通信フレームに収めて、車両放送データサーバ２００へ送る（Ｓ６ａ，６ｂ，…）。これらの放送時間Ｂａ，Ｂｂ，…の開始タイミングは、通信端末４００側での映像表示時が連続するタイミングである。具体的に、放送時間Ｂａ，Ｂｂ，…の開始タイミングは、前述したように、一つの映像放送コンテンツデータの送信速度が再生速度の約２倍で、このデータの送信時間である放送時間が５秒であり、このデータの再生時間が約１０秒である場合には、先の放送時間の終了から約５秒後になる。
【００６４】
列車放送データサーバ１００から送信された映像データは、前述の場合と同様に、車両放送データサーバ２００及び基地局３００を介して通信端末４００へ送られる（Ｓ７ａ,Ｓ７ｂ，…，Ｓ８ａ，Ｓ８ｂ，…）。そして、この通信端末４００のディスプレイ４５２が映像データを表示できる状態になっていなければ、この映像データが表示され（Ｓ９ａ,Ｓ９ｂ，…，）、履歴がフラッシュＲＯＭ４４０に登録される（Ｓ１０ａ,Ｓ１０ｂ，…，）。
【００６５】
以下、列車１が駅に到着する所定時間前まで、映像放送コンテンツデータの放送及び再生が続けられる。
【００６６】
ところで、列車放送データサーバ１００は、一定時間間隔で映像データを送信している関係で、基地局３００も、一定時間間隔で映像データを受信し、これを無線送信している。このため、基地局３００は、この一定時間間隔の間、つまり、列車放送データサーバ１００の放送時間と次の放送時間との間は、通信処理の空き時間となる。
【００６７】
そこで、本実施形態では、この空き時間中の時間を端末データ取得時間Ａとし、基地局３００は、この端末データ取得時間Ａで、当該基地局３００のサービスエリア内の通信端末４００の通信アドレス、ここではＭＡＣアドレスを取得する端末データ取得処理を実行している。
【００６８】
この端末データ取得処理で、基地局３００の通信制御部３２０は、フラッシュＲＯＭ３４０に設けられているポーリングリスト３４１を参照して、特定のＭＡＣアドレスの通信端末３００からの通信（アソシエーション要求）を促す。
【００６９】
ここで、ポーリングリスト３４１について、図６を用いて説明する。
【００７０】
ポーリングリスト３４１は、複数の通信端末４００をグループ分けした際の各グループ名が格納されているグループ名領域３４１ａと、当該グループに属する通信端末４００のＭＡＣアドレスの末尾数が格納されている末尾数領域３４１ｂと、当該末尾数のＭＡＣアドレスが格納されるＭＡＣアドレス領域３４１ｃと、を有している。
【００７１】
グループ名領域３４１ａには、Ａ〜Ｄの４つのグループ名が予め格納されている。すなわち、ここでは、複数の通信端末４００を４つのグループに分けている。また、グループＡの末尾数領域３４１ｂには、ＭＡＣアドレスの末尾数のうち、０、４、８、Ｃが予め格納されている。つまり、ＭＡＣアドレスの末尾数になる０〜９,Ａ，Ｂ，Ｃ，Ｄ，Ｅ，Ｆのうち、０と、０から４つ毎の末尾数が格納されている。以下、同様に、グループＢの末尾数領域３４１ｂには、１、５、９、Ｄが予め格納され、グループＣの末尾数領域３４１ｂには、２、６、Ａ、Ｅが予め格納され、グループＤの末尾数領域３４１ｂには、３、７、Ｂ、Ｅが予め格納されている。
【００７２】
なお、ここでは、多数の通信端末４００のグループ分けのために、各通信端末４００のＭＡＣアドレスを用いているが、ＭＡＣアドレスのほか、機器個体の番号割り振り要素が強く、番号のランダム性の高い識別番号であれば、例えば、通信端末の製造番号や機器番号等を用いてもよい。一方、ロット番号のように、ロットが同じあれば、同じになるような識別番号は、ランダム性が低いため、グループ分けに利用することは好ましくない。
【００７３】
基地局３００の通信制御部３２０は、このポーリングリスト３４１を参照して、まず、グループＡに属する通信端末４００、つまり、ＭＡＣアドレスの末尾数が０、４、８、Ｃである通信端末４００をアソシエーションの対象にするためのビーコン（通信アドレス通知許可）をブロードキャストで、端末側通信インタフェース３１５から送出する。
【００７４】
このビーコンの通信フレーム３０は、図９に示すように、ＭＡＣヘッダ３１と、ＭＡＣボディ３５とを有している。ＭＡＣヘッダ３１には、宛先アドレス３２及び送信元アドレス３３等が収められている。ここでの宛先アドレス３２は、ブロードキャストであることを示す“F”である。また、ＭＡＣボディ３５には、当該基地局３００の識別子であるＳＳＩＤ（Service Set ID）等を含むビーコン一般情報要素３６と、アソシエーション対象とする通信端末４００のＭＡＣアドレスの末尾が“０,４,８，Ｃ”であることを示す末尾制限情報３７とが収められている。なお、この末尾制限情報３７は、ここでは、ＭＡＣフレーム中で、無線ＬＡＮメーカー等が独自に定義できるベンダースペック枠に収められている。
【００７５】
車両１ｂ，１ｃ内の複数の通信端末４００の第二通信制御部４２１がこのビーコンを受け取ると、フラッシュＲＯＭ４４０中のＭＡＣアドレスを読み出して、自ＭＡＣアドレスの末尾数が、ビーコンに含まれている末尾制限情報３７を満たすか否かを判断する。自ＭＡＣアドレスの末尾数が末尾制限情報３７を満たさない場合には、当該ビーコンに伴うアソシエーション要求を行わず、自ＭＡＣアドレスの末尾数が末尾制限情報３７を満たす場合には、当該ビーコンに伴うアソシエーション要求を行う。すなわち、第二通信制御部４２１は、図９に示すアソシエーション要求の通信フレーム４０を作成して、これを基地局３００へ返す。この通信フレーム４０も、ＭＡＣヘッダ４１とＭＡＣボディ４５とを有し、ＭＡＣヘッダ４１には、宛先アドレス４２として基地局３００のアドレスと、送信元アドレス４３として当該通信端末４００のアドレスとが収められている。また、ＭＡＣボディ４５には、アソシエーション要求であることを示すメッセージ４６が収められている。
【００７６】
基地局３００の通信制御部３２１が通信端末４００からのアソシエーション要求を受け取ると、このアソシエーション要求に含まれている送信元アドレスを記憶制御部３２２に渡して、図６に示すポーリングリスト３４１中のグループＡのＭＡＣアドレス領域３４１ｃに格納する。そして、基地局３００の通信制御部３２１は、このアソシエーション要求を送ってきた通信端末４００に対して、アソシエーション応答を送り、当該通信端末４００からＡＣＫ（ACKnowledgement）を受信する。
【００７７】
基地局３００は、以上の端末データ取得処理、つまり、通信アドレスの通知許可であるビーコンの送信（Ｓ１１）、アソシエーション要求の受信（Ｓ１２）、通信アドレスの登録、アソシエーション応答の送信、ＡＣＫの受信に関して、端末データ取得時間が終了するまで、全てのグループに関して繰り返して実行する。なお、図７では、図を簡略化するため、端末データ取得処理中の以上の処理のうち、ビーコンの送信（Ｓ１１）、アソシエーション要求の受信（Ｓ１２）のみを描いている。
【００７８】
基地局３００は、この端末データ取得処理を、基本的に全ての放送時間Ｂ，Ｂａ，…後に実行する。このため、本実施形態では、列車の走行中に電源が入れられた通信端末をも漏れなく、ポーリングリスト３４１に含めることができる。なお、ここでは、基本的に、全ての放送時間，Ｂａ，…後の端末データ取得時間Ａ，Ａａ，…において、グループ分けに基づく端末データ取得処理を実行しているが、列車が駅を出発してから、初回、さらには２回目程度までは、端末データ取得処理での通信衝突の確率が高いため、グループ分けに基づく端末データ取得処理を実行し、以降の端末データ取得時間では、グループ分けをせずに、又はグループ数を少なくして、端末データ取得処理を実行してもよい。また、初回、さらには２回目以降の端末データ取得時間では、この時間の全時間帯で端末データ取得処理を実行せず、空いた時間に、他の通信や補足データの放送等に割り当てるようにしてもよい。
【００７９】
通信端末４００は、この端末データ取得処理過程で、既に自アドレスの登録のためのアソシエーションが確率した場合には、その後、自グループを対象とするビーコンを受信してもアソシエーション要求を送信しない。
【００８０】
列車放送データサーバ１００の通信制御部１２１は、運行監視装置６００から送られてきた運行情報が、次停車駅までの到着時間又は次停車駅までの距離が予め定められた距離以内であることを示す場合に、閲覧履歴要求を車両放送データサーバ２００を介して、基地局４００へ送る（Ｓ１３，Ｓ１４）。
【００８１】
基地局３００の通信制御部３２１は、この閲覧履歴要求を受けると、ポーリングリスト３４１のＭＡＣアドレス領域３４１ｃから一つのアドレスを抽出し、このアドレスを宛先アドレスとして、閲覧履歴要求を当該アドレスの通信端末４００へ送る（Ｓ１５）。
【００８２】
この閲覧履歴要求を受信した通信端末４００の第二通信制御部４２２は、記憶制御部４２３を介してフラッシュＲＡＭ４４０の閲覧履歴テーブル４４３からコンテンツＩＤを取得する。この閲覧履歴テーブル４４３は、図５に示すように、当該通信端末４００により閲覧されたコンテンツのＩＤが１以上含んでいる。そして、通信端末４００の第二通信制御部４２２は、この閲覧履歴４４３が示す１以上のコンテンツＩＤを通信パケットに収めて、これを応答として基地局３００へ返す（Ｓ１６）。
【００８３】
基地局３００の通信制御部３２１は、この応答を受け取ると、この応答に含まれているコンテンツＩＤを記憶制御部３２２に渡す。記憶制御部３２２は、このコンテンツＩＤを受け取ると、このコンテンツＩＤに応じた閲覧結果をフラッシュＲＯＭ３４０の閲覧履歴テーブル３４３に格納する。
【００８４】
具体的に、基地局３００の閲覧履歴テーブル３４３は、図５に示すように、コンテンツＩＤが格納されるコンテンツＩＤ領域と、当該コンテンツＩＤのコンテンツの閲覧件数が格納される閲覧件数領域とがある。記憶制御部３２２は、通信制御部３２１から受け取ったコンテンツＩＤがこの閲覧履歴テーブル３４３のコンテンツＩＤ領域に格納されていなければ、このコンテンツＩＤをコンテンツＩＤ領域に格納すると共に、当該コンテンツＩＤに対する閲覧件数領域に「１」を格納する。また、通信制御部３２１から受け取ったコンテンツＩＤがこの閲覧履歴テーブル３４３のコンテンツＩＤ領域に格納されていれば、当該コンテンツＩＤに対する閲覧件数領域の数値に「１」を加える。
【００８５】
基地局３００の通信制御部３２１は、ポーリングリスト３４１のＭＡＣアドレス領域３４１ｃに格納されている各アドレスの通信端末４００に対して、以上の閲覧履歴要求を順次送信し、各通信端末４００からの応答を受ける毎に閲覧結果を記憶制御部３２２に渡して、閲覧履歴テーブル３４３に格納させる。基地局３００の通信制御部３２１は、ポーリングリスト３４１のＭＡＣアドレス領域３４１ｃに格納されている各アドレスの通信端末４００に対して、以上の閲覧履歴要求を順次送信し、その応答に対する処理を実行すると、閲覧履歴テーブル４３２のデータの全てを閲覧履歴として、車両放送データサーバ２００へ送る（Ｓ１７）。
【００８６】
なお、基地局３００の記憶制御部３２２は、当該基地局３００の通信制御部３２１が通信端末４００に対して閲覧履歴要求を送ったにも関わらず（Ｓ１５）、当該通信端末４００からこの要求に対する応答を受けなかった場合には、ポーリングリスト中の該当アドレスを消去する。このように、該当通信端末４００から閲覧履歴要求に対する応答が返ってこない場合というのは、具体的には、Ａ駅で乗車した客Ｇの通信端末がＢ駅に到着するまでに、基地局３００での端末データ取得処理に応答（ポーリング応答）し、この客ＧがＢ駅で下車し、列車がＢ駅を出発してから、基地局３００が新たな端末データ取得処理過程で閲覧要求を送信（Ｓ１５）した場合である。すなわち、この通信アドレスの消去処理は、車両１ｂ，１ｃ中に存在しなくなった通信端末４００の通信アドレスを削除するために行われる。
【００８７】
車両放送データサーバ２００の通信制御部２２１は、管理下にある全ての基地局３００からの閲覧履歴を順次受け取ると、これを記憶制御部２２２に渡し、補助記憶装置２４０に設けられている閲覧履歴テーブル２４３に格納する。この閲覧履歴テーブル２４３は、図８に示すように、基地局３００の閲覧履歴テーブル３４３と同様、コンテンツＩＤ領域と閲覧件数領域とがある。この閲覧履歴テーブル２４３には、車両放送データサーバ２００の管理下にある全ての基地局３００からの閲覧履歴の集計結果が格納される。車両放送データサーバ２００の通信制御部２２１は、管理下の全ての基地局３００から閲覧履歴を受け取ると、閲覧履歴テーブル２４３の全てのデータを閲覧履歴として、列車放送データサーバ１００へ送る（Ｓ１８）。
【００８８】
列車放送データサーバ１００の通信制御部１２１は、管理下にある全ての車両放送データサーバ２００からの閲覧履歴を順次受け取ると、これを記憶制御部１２２に渡し、補助記憶装置１４０に設けられている閲覧履歴テーブル１４３に格納する。この閲覧履歴テーブル１４３は、図８に示すように、コンテンツＩＤ領域及び閲覧件数領域の他、運行区間が格納される運行区間領域がある。記憶制御部１２２は、運行監視装置６００から送られてきた運行情報に基づいて、運行区間を運行区間領域に格納し、この運行区間に対応するコンテンツＩＤ領域及び閲覧件数領域に、各車両データサーバ２００からの閲覧履歴を格納する。
【００８９】
列車放送データサーバ１００の通信制御部１２１は、管理下にある全ての車両データサーバ２００からの閲覧履歴を受け取ると、次停車駅情報を、車両放送データサーバ２００を介して、基地局３００へ送る（Ｓ２０，Ｓ２１）。この次停車駅情報は、駅情報ファイル１４１に格納されている多数の駅情報のうち、次に停車する駅の駅情報である。このため、図４に示すように、東海道線、東京発、小田原終点の列車が、次に「大磯」駅に停車する場合、この「大磯」駅の駅情報が次停車駅情報１０ｂになる。そこで、記憶制御部１２２は、運行監視装置６００から送られてきた運行情報から割り出された次の停車駅の駅情報を駅情報ファイル１４１から読み出し、これを通信制御部１２１に渡す。通信制御部１２１は、この駅情報を受け取ると、前述したように、この駅情報を次停車駅情報として、車両放送データサーバ２００を介して、基地局３００へ送る。
【００９０】
基地局３００の通信制御部３２１は、次停車駅情報を受け取ると、この次停車駅情報をブロードキャストで送出する（Ｓ２２）。
【００９１】
通信端末４００の第二通信制御部４２２がこの次停車駅情報を受け取ると、この次停車駅情報を駅比較部４２７に渡す。駅比較部４２７は、フラッシュＲＯＭ４４０に格納されている降車駅情報を読み出し、この降車駅情報が示す駅と次停車駅情報が示す駅とが同じであるか否かを判断する（Ｓ２３）。降車駅情報が示す駅と次停車駅情報が示す駅とが同じであれば、表示制御部４２４、音声制御部４２５のそれぞれに対して、降車通知指示を与える。この結果、音声制御部４２５は、次の停車駅で降車すべき旨の音声データを作成し、ヘッドホン４５５からその旨を出力させる。また、表示制御部４２４は、次の停車駅で降車すべき旨の表示データを作成し、図８に示すように、ディスプレイ４５２に降車通知画面４５２ｄを表示させる（Ｓ２４）。
【００９２】
なお、ここでは、降車通知を音声と映像とで行うようにしているが、通信端末４００にバイブレーション機能が設けられている場合には、降車通知としてバイブレーション機能を稼動させるようにしてもよい。
【００９３】
列車１は、以上の処理が終了した後、次停車駅に停車することになる。列車１がこの駅を出発すると、車内放送システムは、再び、以上で説明した処理を実行する。
【００９４】
以上、本実施形態では、以下の効果を得ることができる。
（1）本実施形態では、映像放送コンテンツデータの送信時間の短縮処理を行い、この送信時間とこのデータの再生時間との差分時間中の時間を端末データ取得時間とし、この端末データ取得時間中に、通信端末からのデータ収集のための通信活動を行っているので、放送の連続性を維持しつつ、データ収集のための通信活動を行うことができる。
【００９５】
すなわち、本実施形態では、通信端末４００の所有者による映像放送コンテンツの閲覧性を妨げないよう、映像放送コンテンツを継続的に表示できるようにしつつ、この表示時間の裏を利用して、通信端末４００からのデータ収集のための通信活動を行っている。
（2）本実施形態では、通信端末をＭＡＣアドレス等により予め複数のグループに分けておき、各グループ毎にデータ収集のための通信活動を行うようにして、通信対象の数を減らしているので、この通信活動における通信衝突の確率を小さくでき、この通信活動を効率よく行うことができる。
【００９６】
なお、背景技術の欄で説明した特許文献２に記載の技術は、前述したように、多数の通信端末と基地局との間で、一旦接続を確立し、接続確立した各通信端末に識別子を付した後、全ての識別子を複数のグループに分けているため、グループ分け後のデータ収集の際の通信では衝突確率を減らすことができるものの、初期接続の際に通信衝突の確率が高く、結果として、効率よく通信活動を行うことができない。
（3）本実施形態では、列車がある駅から次の駅に到着するまでの間に、車両の内に存在する多数の通信端末との間で、端末データ取得処理を何度も繰り返して多数の端末の通信アドレスを取得し、次の駅に到着する直前に、通信アドレスを取得した多数の通信端末から順次閲覧履歴を収集しているので、同時に多数の乗客が降車、乗車するような状況でも、取りこぼしなく効率よく閲覧履歴を収集することができる。
【００９７】
このため、映像放送コンテンツが広告である場合、広告主は、広告の宣伝効果を適正に判断することができる。
（4）本実施形態では、閲覧履歴として、コンテンツを放送した運行区間を含めているので、映像放送コンテンツが広告である場合、広告主は、乗客の地域性を把握でき、地域性を考慮した広告を提供することができるようになる。
【００９８】
なお、ここで、閲覧履歴として、コンテンツを放送した運行区間を含めたが、さらに、放送時間帯も含めるようにしてもよい。
（5）本実施形態では、乗客は、映像放送コンテンツを楽しむことができる上に、乗客の降車駅に近づくと、降車通知が実行されるので、乗り越しを回避することができる。
【００９９】
なお、以上の実施形態は、本発明を列車の車内放送に適用した例であるが、バスや船舶等の他の公共交通機関の車両内放送に本発明を適用してもよい。また、車内放送に限らず、特定のエリア内での放送に本発明を提供してもよい。
【０１００】
また、本実施形態では、映像放送コンテンツの表示時間中に、端末データ取得時間を確保し、この時間に端末のＭＡＣアドレスを取得して、ポーリングリストを作成しているが、単にポーリングリストを作成する場合には、映像放送コンテンツの表示時間と関係なく、グループ分けに基づく端末データ取得処理を実行して、ポーリングリストを作成するようにしてもよい。
【０１０１】
また、以上では、通信端末４００として携帯電話を例示したが、携帯電話である必要が無く、基地局３００との間で無線通信を行える無線通信端末であれば、如何なるものを通信端末４００としてもよい。この場合、携帯電話網を介して他の通信装置と無線通信する第一通信インタフェース４１０と、この制御を行う第一通信制御部４２１は無くてもよい。
【符号の説明】
【０１０２】
１：列車、１ａ，１ｂ,１ｃ：車両、２：車掌室、１０：駅情報、１０ａ：駅一覧情報、１０ｂ：次停車駅情報、２５：映像データ、２８：タイムスタンプ、３０：ビーコンの通信フレーム、４０：アソシエーション要求の通信フレーム、１００：列車放送データサーバ、１１０：駅側通信インタフェース、１１５：車両サーバ側通信インタフェース、１２０，２２０，３２０，４２０：ＣＰＵ、１２１，２２１，３２１，４２１，４２２：通信制御部、１２２，２２２，３２２，４２２：記憶制御部、１３０，２３０，３３０，４３０：ＲＡＭ、１４０，２４０：補助記憶装置、３４０，４４０：フラッシュＲＯＭ、１４１：駅情報ファイル、１４２：映像放送コンテンツファイル、１４３，２４３，３４３，４４３：閲覧履歴テーブル、１４４，２４４，３４４，４４４：プログラム、２００：車両放送データサーバ、２１０：基地局側通信インタフェース、２１５：列車サーバ側通信インタフェース、３００：基地局、３１０：車両サーバ側通信インタフェース、３１５：端末側通信インタフェース、４００：通信端末、４１０：第一通信インタフェース、４１５：第二通信インタフェース、５００：駅サーバ、６００：運行監視装置
【図１】
2011019104.tif 000003
【図２】
2011019104.tif 000004
【図３】
2011019104.tif 000005
【図４】
2011019104.tif 000006
【図５】
2011019104.tif 000007
【図６】
2011019104.tif 000008
【図７】
2011019104.tif 000009
【図８】
2011019104.tif 000010
【図９】
2011019104.tif 000011